【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
変動ゲームの演出内容を決定する演出内容決定手段と、
前記演出内容決定手段が決定した演出内容に基づき、変動ゲームを実行させるように制御する演出制御手段と、
遊技者が操作可能な操作手段と、
予告演出を実行させる予告演出実行手段と、
前記操作手段の操作に応じて複数種類の予告系統から何れかを選択する予告系統選択手段と、を備え、
前記予告演出には、第１予告演出と、前記第１予告演出よりも後に実行可能な第２予告演出とがあり、
前記予告演出実行手段は、前記予告系統選択手段によって選択された予告系統に基づく第１予告演出を実行させ、前記予告系統に基づき実行可能な第２予告演出の中から、前記演出内容決定手段が決定した変動ゲームの演出内容に基づき特定される第２予告演出を最終的に実行させることを特徴とする遊技機。
【請求項２】
変動ゲームの演出内容を決定する演出内容決定手段と、
前記演出内容決定手段が決定した演出内容に基づき、変動ゲームを実行させるように制御する演出制御手段と、
実行保留中の変動ゲームに関する予告情報を出力する予告情報出力手段と、
前記予告情報出力手段が出力した予告情報に基づいて、実行保留中の変動ゲームの演出内容を事前に判定する事前判定手段と、
遊技者が操作可能な操作手段と、
予告演出を実行させる予告演出実行手段と、
前記操作手段の操作に応じて複数種類の予告系統から何れかを選択する予告系統選択手段と、を備え、
前記予告演出には、第１予告演出と、前記第１予告演出よりも後に実行可能な第２予告演出とがあり、
前記予告演出実行手段は、前記予告系統選択手段によって選択された予告系統に基づく第１予告演出を実行させ、前記予告系統に基づき実行可能な第２予告演出の中から、前記事前判定手段が事前に判定した変動ゲームの演出内容に基づき特定される第２予告演出を最終的に実行させることを特徴とする遊技機。
【請求項３】
少なくとも図柄の変動開始が行われる変動サイクルが複数回実行されるように構成されており、
前記予告演出実行手段は、前記変動サイクル毎に、前記予告系統選択手段によって選択された予告系統に基づく態様で第１予告演出の演出内容を段階的に変化させることを特徴とする請求項１又は請求項２に記載の遊技機。
【請求項４】
前記第２予告演出を実行させるかを決定する予告演出決定手段を備え、
前記予告演出決定手段は、前記予告系統選択手段によって選択された予告系統に基づき、前記第２予告演出が実行される可能性を異ならせていることを特徴とする請求項１〜請求項３のうちいずれか一項に記載の遊技機。
【請求項５】
前記予告系統選択手段によって選択される予告系統毎に、前記第２予告演出により示唆される変動ゲームの演出内容を異ならせており、
前記予告演出実行手段は、前記第２予告演出が実行される変動ゲームの演出内容に、前記予告系統選択手段によって選択された予告系統に基づいて実行される第２予告演出により示唆される変動ゲームの演出内容が含まれる場合に、当該第２予告演出を実行可能とすることを特徴とする請求項１〜請求項４のうちいずれか一項に記載の遊技機。
【手続補正２】
【補正対象書類名】明細書
【補正対象項目名】０００５
【補正方法】変更
【補正の内容】
【０００５】
しかしながら、このような遊技機において、例えば段階演出などの各種演出が実行されることによって大当り期待度を示唆することができるものの、その演出態様は、ほぼ一定であり、単調となっていた。これにより、遊技に対する興趣の減退を招くおそれがあった。
【手続補正３】
【補正対象書類名】明細書
【補正対象項目名】０００６
【補正方法】変更
【補正の内容】
【０００６】
この発明は、このような従来の技術に存在する問題点に着目してなされたものであり、その目的は、演出効果を高めることによって、遊技に対する興趣の向上を図ることができる遊技機を提供することにある。
【手続補正４】
【補正対象書類名】明細書
【補正対象項目名】０００７
【補正方法】変更
【補正の内容】
【０００７】
上記問題点を解決する遊技機は、変動ゲームの演出内容を決定する演出内容決定手段と、前記演出内容決定手段が決定した演出内容に基づき、変動ゲームを実行させるように制御する演出制御手段と、遊技者が操作可能な操作手段と、予告演出を実行させる予告演出実行手段と、前記操作手段の操作に応じて複数種類の予告系統から何れかを選択する予告系統選択手段と、を備え、前記予告演出には、第１予告演出と、前記第１予告演出よりも後に実行可能な第２予告演出とがあり、前記予告演出実行手段は、前記予告系統選択手段によって選択された予告系統に基づく第１予告演出を実行させ、前記予告系統に基づき実行可能な第２予告演出の中から、前記演出内容決定手段が決定した変動ゲームの演出内容に基づき特定される第２予告演出を最終的に実行させることを要旨とする。
【手続補正５】
【補正対象書類名】明細書
【補正対象項目名】０００８
【補正方法】変更
【補正の内容】
【０００８】
上記遊技機において、変動ゲームの演出内容を決定する演出内容決定手段と、前記演出内容決定手段が決定した演出内容に基づき、変動ゲームを実行させるように制御する演出制御手段と、実行保留中の変動ゲームに関する予告情報を出力する予告情報出力手段と、前記予告情報出力手段が出力した予告情報に基づいて、実行保留中の変動ゲームの演出内容を事前に判定する事前判定手段と、遊技者が操作可能な操作手段と、予告演出を実行させる予告演出実行手段と、前記操作手段の操作に応じて複数種類の予告系統から何れかを選択する予告系統選択手段と、を備え、前記予告演出には、第１予告演出と、前記第１予告演出よりも後に実行可能な第２予告演出とがあり、前記予告演出実行手段は、前記予告系統選択手段によって選択された予告系統に基づく第１予告演出を実行させ、前記予告系統に基づき実行可能な第２予告演出の中から、前記事前判定手段が事前に判定した変動ゲームの演出内容に基づき特定される第２予告演出を最終的に実行させるようにしてもよい。
【手続補正６】
【補正対象書類名】明細書
【補正対象項目名】０００９
【補正方法】変更
【補正の内容】
【０００９】
上記遊技機において、少なくとも図柄の変動開始が行われる変動サイクルが複数回実行されるように構成されており、前記予告演出実行手段は、前記変動サイクル毎に、前記予告系統選択手段によって選択された予告系統に基づく態様で第１予告演出の演出内容を段階的に変化させるようにしてもよい。
【手続補正７】
【補正対象書類名】明細書
【補正対象項目名】００１０
【補正方法】変更
【補正の内容】
【００１０】
上記遊技機において、前記第２予告演出を実行させるかを決定する予告演出決定手段を備え、前記予告演出決定手段は、前記予告系統選択手段によって選択された予告系統に基づき、前記第２予告演出が実行される可能性を異ならせているようにしてもよい。
【手続補正８】
【補正対象書類名】明細書
【補正対象項目名】００１１
【補正方法】変更
【補正の内容】
【００１１】
上記遊技機において、前記予告系統選択手段によって選択される予告系統毎に、前記第２予告演出により示唆される変動ゲームの演出内容を異ならせており、前記予告演出実行手段は、前記第２予告演出が実行される変動ゲームの演出内容に、前記予告系統選択手段によって選択された予告系統に基づいて実行される第２予告演出により示唆される変動ゲームの演出内容が含まれる場合に、当該第２予告演出を実行可能とするようにしてもよい。